(57)【要約】    【課題】放射線ビームの位置や範囲を、明室下で目視により、明瞭かつ正確に短時間で確認する方法に用いられる簡便な放射線感応シートを提供する。    【解決手段】放射線感応シート１０ａ・１０ｂは、ハロゲン基とアセタール基との少なくともいずれかの基及び水酸基を有する高分子化合物と、呈色性の電子供与体有機化合物と、電子供与体有機化合物を呈色させる活性種生成有機化合物と、放射線吸収剤及び／又は放射線蛍光剤とが含まれた放射線呈色性組成物、又はポリアセチレン化合物とジアリールエテン化合物との少なくともいずれかが含まれた放射線呈色性組成物が、基材表面の少なくとも一部に付されており、放射線ビーム１の通過ライン上に載置される放射線感応シートであって、前記放射線ビーム１によって呈色する前記放射線呈色性組成物が、確認すべき前記放射線ビーム１の位置及び／又は範囲に応じ、それより広範囲に、前記基材表面へ付されている。【選択図】図２
2008102055.tif 000002
【特許請求の範囲】
【請求項１】
ハロゲン基とアセタール基との少なくともいずれかの基及び水酸基を有する高分子化合物と、呈色性の電子供与体有機化合物と、電子供与体有機化合物を呈色させる活性種生成有機化合物と、放射線吸収剤及び／又は放射線蛍光剤とが含まれた放射線呈色性組成物、又はポリアセチレン化合物とジアリールエテン化合物との少なくともいずれかが含まれた放射線呈色性組成物が、基材表面の少なくとも一部に付されており、放射線ビームの通過ライン上に載置される放射線感応シートであって、前記放射線ビームによって呈色する前記放射線呈色性組成物が、確認すべき前記放射線ビームの位置及び／又は範囲に応じ、それより広範囲に、前記基材表面へ付されていることを特徴とする放射線感応シート。
【請求項２】
ハロゲン基とアセタール基との少なくともいずれかの基及び水酸基を有する高分子化合物と、呈色性の電子供与体有機化合物と、電子供与体有機化合物を呈色させる活性種生成有機化合物と、放射線吸収剤及び／又は放射線蛍光剤とが含まれた放射線呈色性組成物、又はポリアセチレン化合物とジアリールエテン化合物との少なくともいずれかが含まれた放射線呈色性組成物を基材表面の少なくとも一部に付した放射線感応シートを、放射線ビームが通過するライン上に載置し、前記放射線ビームを照射し、それに応じ前記放射線感応シートの少なくとも一部の前記放射線呈色性組成物が呈色することによって前記放射線ビームの透過部位を表示して、放射線ビームの位置及び／又は照射範囲を確認することを特徴とする放射線ビーム確認方法。
【請求項３】
前記放射線呈色性組成物が、５〜５０重量部の前記高分子化合物と、０．０１〜５０重量部の前記呈色性の電子供与体有機化合物と、０．１〜５０重量部の前記活性種生成有機化合物と、０．１〜５００重量部の放射線吸収剤及び／又は放射線蛍光剤とを含んでいることを特徴とする請求項２に記載の放射線ビーム確認方法。
【請求項４】
前記放射線感応シートが、基材上に前記放射線呈色性組成物で塗布されてエネルギー領域１ｋｅＶ〜４００ＭｅＶの前記放射線ビームで感応する呈色層を、前記露出させていることを特徴とする請求項２に記載の放射線ビーム確認方法。
【請求項５】
前記放射線感応シートが、厚さ５μｍ〜５ｍｍのラベル、又は成型体であることを特徴とする請求項２に記載の放射線ビーム確認方法。
【請求項６】
前記放射線ビームが、Ｘ線、α線、β線、γ線、電子線、中性子線、陽子線及び重イオン線の何れかのビームであることを特徴とする請求項２に記載の放射線ビーム確認方法。
【発明の詳細な説明】
【技術分野】
【０００１】
本発明は、放射線を試料に照射して試料の物理化学的性質を調べたり、放射線診療や医療器滅菌を行ったりする際、放射線ビームの位置や照射範囲を目視によりその場で確認できる放射線感応シートに関するものである。
【背景技術】
【０００２】
シンクロトロン放射光や放射線照射装置により得られる電離性放射線を、有機低分子化合物やタンパク質や無機化合物等の結晶試料に照射して、それらの回折、散乱、分光等により、物理的・化学的性質を調べたり、それらの原子構造や立体構造を決定したりする分析が行われる。又、放射線を照射して、Ｘ線診療や、γ線滅菌又は電子線滅菌も行われる。
【０００３】
このような放射線のビームラインは、放射線源からの放射線のエネルギー量やビームの広がりを調整し、試料が置かれた実験ハッチへ、誘導される。例えば図５に示すように、シンクロトロン放射光において必要なエネルギー領域のＸ線のビームライン１は、ビームダクト（Ｉ）側に配置された第一結晶板２、第二結晶板３で反射し、スリット系を通して、実験ハッチ（II）側へ誘導され、さらに適切に入射角θが調整された第三結晶板５で反射し、試料６へ照射される。所望のエネルギー領域のＸ線を適切に試料へ照射するには、第二結晶板３及び第三結晶板５からのビームの位置を確認し調整しておく必要性がある。
【０００４】
特許文献１に、電離放射線の監視に用いられる蛍光有機センサ材料が開示されている。直接目視できないＸ線等のビームの位置を確認するのに、このような蛍光有機センサ材料や、Ｘ線に感応して呈色するリナグラフのようなインジケータが用いられる。そのような例として、図６に示すようにビームライン１が通過すると推定される位置に、リナグラフ(kodak社製)２１ａ・２１ｂを予め載置し、Ｘ線を照射し、リナグラフ２１ａ・２１ｂの一部の呈色部位から、ビームライン１を推測する方法がある。しかし、一般のリナグラフは、Ｘ線照射によって褐色に淡くしか呈色しないため、照射位置と未照射位置との色差が小さく目視での確認が困難で誤認を生じ易い。しかも、リナグラフはＸ線に対し低感度であるため、例えばシンクロトロン放射光単色で利用するには呈色するのに例えば約３０分も要してしまう。又、リナグラフは屋内光でも呈色してしまうため正確に光軸を確認したり微妙な入射角度や照射位置を調整したりするのに一時的に暗室で作業しなければならず、面倒である。
【０００５】
リナグラフに代えて、オシログラフペーパや、ポラロイド フィルム(ポラロイド社の登録商標)を用いる方法も知られている。しかし、それらは、リナグラフよりＸ線感度が高い反面、載置位置からそれらを外し、現像する面倒な操作を必要とするため、その場で直ちに観察することができない。
【０００６】
又、特許文献２に、放射線記録再生に用いられる蛍光板である放射線像変換パネルが開示されている。ビームラインの光軸を確認するのに、このような蛍光板も用いられる。そのような例として、図７に示すとおり、ビームライン１が通過すると推定される位置に、Ｘ線で蛍光を発する目盛付き蛍光板２２ａ・２２ｂを載置して、電荷結合素子（ＣＣＤ）カメラ２３ａ・２３ｂで撮影するという方法も知られている。しかし、蛍光板やカメラを設置したりカメラで蛍光位置を読取ったりするのに時間がかかり面倒なうえ、蛍光板やカメラが高価で、汎用性がない。
【０００７】
【特許文献１】特表平０９−５１１０５５号公報
【特許文献２】特開２００６−１０５５９６号公報
【発明の開示】
【発明が解決しようとする課題】
【０００８】
本発明は前記の課題を解決するためになされたもので、放射線を試料に照射して試料の物理的・化学的性質を調べたり、放射線診療や医療器滅菌を行ったりする際、放射線のビームの位置や照射範囲を、明室下で目視により、明瞭かつ正確に、短時間で確認する方法に用いられる簡便な放射線感応シートを提供することを目的とする。
【課題を解決するための手段】
【０００９】
前記の目的を達成するためになされた特許請求の範囲の請求項１に記載の放射線感応シートは、ハロゲン基とアセタール基との少なくともいずれかの基及び水酸基を有する高分子化合物と、呈色性の電子供与体有機化合物と、電子供与体有機化合物を呈色させる活性種生成有機化合物と、放射線吸収剤及び／又は放射線蛍光剤とが含まれた放射線呈色性組成物、又はポリアセチレン化合物とジアリールエテン化合物との少なくともいずれかが含まれた放射線呈色性組成物が、基材表面の少なくとも一部に付されており、放射線ビームの通過ライン上に載置される放射線感応シートであって、前記放射線ビームによって呈色する前記放射線呈色性組成物が、確認すべき前記放射線ビームの位置及び／又は範囲に応じ、それより広範囲に、前記基材表面へ付されていることを特徴とする。
【００１０】
請求項２に記載の放射線ビーム確認方法は、ハロゲン基とアセタール基との少なくともいずれかの基及び水酸基を有する高分子化合物と、呈色性の電子供与体有機化合物と、電子供与体有機化合物を呈色させる活性種生成有機化合物と、放射線吸収剤及び／又は放射線蛍光剤とが含まれた放射線呈色性組成物、又はポリアセチレン化合物とジアリールエテン化合物との少なくともいずれかが含まれた放射線呈色性組成物を基材表面の少なくとも一部に付した放射線感応シートを、放射線ビームが通過するライン上に載置し、前記放射線ビームを照射し、それに応じ前記放射線感応シートの少なくとも一部の前記放射線呈色性組成物が呈色することによって前記放射線ビームの透過部位を表示して、放射線ビームの位置及び／又は照射範囲を確認することを特徴とする。
【００１１】
請求項３に記載の放射線ビーム確認方法は、請求項２に記載されたもので、前記放射線呈色性組成物が、５〜５０重量部の前記高分子化合物と、０．０１〜５０重量部の前記呈色性の電子供与体有機化合物と、０．１〜５０重量部の前記活性種生成有機化合物と、０．１〜５００重量部の放射線吸収剤及び／又は放射線蛍光剤とを含んでいることを特徴とする。
【００１２】
請求項４に記載の放射線ビーム確認方法は、請求項２に記載されたもので、前記放射線感応シートが、基材上に前記放射線呈色性組成物で塗布されてエネルギー領域１ｋｅＶ〜４００ＭｅＶの前記放射線ビームで感応する呈色層を、前記露出させていることを特徴とする。
【００１３】
請求項５に記載の放射線ビーム確認方法は、請求項２に記載されたもので、前記放射線感応シートが、厚さ５μｍ〜５ｍｍのラベル、又は成型体であることを特徴とする。
【００１４】
請求項６に記載の放射線ビーム確認方法は、請求項２に記載されたもので、前記放射線ビームが、Ｘ線、α線、β線、γ線、電子線、中性子線、陽子線及び重イオン線の何れかのビームであることを特徴とする。
【発明の効果】
【００１５】
本発明の放射線ビーム確認方法によれば、低線量から高線量の放射線照射量に関わらず放射線感応シート上の放射線呈色性組成物の明瞭で迅速な呈色により、放射線ビームの透過部位の位置や範囲を目視可能に表示して短時間で簡便に確認することができる。しかも、放射線化学分析の試験毎に所望のエネルギー領域のＸ線を適切に取り出すため、その度に限られた試験時間内での光軸調整が必要であっても、僅か数分で光軸を調整でき、効率的である。さらに、明室で行うことができるため、放射線ビームラインの光軸の確認を行い易い。
【００１６】
又、放射線感応シートの呈色部位に孔を開け、そこに有色のレーザーを照射して、放射線ビームの位置や範囲を目視可能に表示することにより、光軸の調整を簡便かつ正確に行うことができる。さらに、放射線感応シートが安価であるため、経済的である。
【発明を実施するための最良の形態】
【００１７】
以下、本発明の実施例を詳細に説明するが、本発明の範囲はこれらの実施例に限定されるものではない。
【００１８】
放射線ビーム確認方法には、図１で示される放射線感応シートが用いられる。感応性シートは、以下のようにして作製される。
【００１９】
先ず、アセタール基及び水酸基を有する高分子化合物と、フルオラン類のような電子供与体有機化合物と、トリブロモエタノールのような活性種生成有機化合物と、放射線吸収剤、及び放射線蛍光体剤とが含まれる放射線呈色性組成物を調製する。次いで、その組成物を基材１４のおもて面側上に塗布して、呈色層１３を形成させる。呈色層１３を粘着剤層１２付きの透明被覆シール１１で被覆し、放射線感応シート１０を作製する。必要に応じ基材１４のうら面側に粘着剤層１５を介して剥離シート１６を付す。
【００２０】
放射線ビームの位置や照射範囲の確認方法は、図２に示すようにして行われる。
【００２１】
先ず、シンクロトロン実験に必要な当該エネルギー領域のＸ線のビームライン１がビームダクト（Ｉ）側の第一結晶板２及び第二結晶板３で反射した後、通過するスリット４の開口部に、放射線感応シート１０ａを貼付する。実験ハッチ（II）側でそのＸ線ビームライン１の推定延長線上に、別な放射線感応シート１０ｂを載置する。その後、Ｘ線を照射すると、Ｘ線はビームライン１に沿って、放射線感応シート１０ａ・１０ｂを透過する。放射線感応シート１０ａ・１０ｂはＸ線が透過した四角い部位１７ａ・１７ｂで、瞬時に、例えば黄色から明瞭な赤色に呈色する。
【００２２】
Ｘ線の照射を止め、図３に示すように、透過部位１７ａ・１７ｂの四隅の対角線交点に、孔１８ａ・１８ｂを開ける。Ｘ線照射先側からその両孔１８ａ・１８ｂを通してＸ線照射元側へ向かって、赤色のレーザービーム１９を照射すると、Ｘ線ビームライン１が、赤く目視できる。
【００２３】
次いで、図４に示すように、入射角θを調整しつつ第三結晶板５を設置し、そこで反射するＸ線ビームライン１の推定延長線上に、別な放射線感応シート１０ｃ・１０ｄを離して載置する。その後、Ｘ線を照射すると、Ｘ線はビームライン１に沿って、放射線感応シート１０ｃ・１０ｄを透過する。放射線感応シート１０ｃ・１０ｄはＸ線が透過した部位で、同様に瞬時に、例えば黄色から明瞭な赤色に呈色する。これにより第三結晶板５で反射したＸ線ビームライン光軸を確認できる。
【００２４】
なお、放射線感応シートは、放射線呈色性組成物中の高分子化合物、電子供与体有機化合物、活性種生成有機化合物、放射線吸収剤、及び放射線蛍光体剤の各成分の種類及び配合比を調整することにより、呈色後の色相、色の濃淡及び呈色速度を調節することができる。
【００２５】
この高分子化合物は、下記式（１）
【００２６】
【化１】
2008102055.tif 000003
【００２７】
（上記式中、Ｘはハロゲン原子、−Ｒ１は水素原子、シアノ基、アルキル基、アリール基、アルコキシ基、アルコキシカルボニル基、アセチルオキシ基で例示される脂肪族カルボニルオキシ基のようなアシルオキシ基、カルボキシル基、アリールオキシ基、アラルキル基、又はアラルキルオキシ基、を示し、ｌ、ｍ、ｎは任意の比率。）で示され、ランダム共重合体であってもブロック共重合体であってもよい高分子化合物が挙げられる。ｌ：ｍ：ｎの比は、例えばそれらの繰返し単位を構成するモノマーの重量比で５０〜９９：１〜３０：１〜２０となる比であることが好ましい。
【００２８】
又、下記式（２）
【００２９】
【化２】
2008102055.tif 000004
【００３０】
（式（２）中、−Ｒ２及び−Ｒ３は、同一又は異なり、水素原子、シアノ基、アルキル基、アリール基、アルコキシ基、アルコキシカルボニル基、アセトキシ基のような脂肪族カルボニルオキシ基、カルボキシル基、アリールオキシ基、アラルキル基、又はアラルコキシ基を示し、ｐ、ｑ、ｒは任意の比率。）で示され、ランダム共重合体であってもブロック共重合体であってもよい高分子化合物も挙げられる。ｐ：ｑ：ｒの比は、モル当量比で、５〜９０：１０〜５０：１〜３０であることが好ましい。
【００３１】
これらの高分子化合物は、単独で用いられても、複数種混合して用いられてもよく、又、別な高分子化合物が混合されていてもよい。
【００３２】
前記呈色性の電子供与体有機化合物は、通常無色又は淡色で、ブレンステッド酸、ルイス酸等の活性種、すなわち電子受容体の作用で発色する性質を有するものである。具体的には、トリフェニルメタンフタリド類例えばクリスタルバイオレットラクトン、マラカイトグリーンラクトン；フルオラン類例えば３−ジエチルアミノベンゾ−α−フルオラン、３−ジエチルアミノ−７−クロロフルオラン、３−ジエチルアミノ−７−ジベンジルアミノフルオラン、３，６−ジメトキシフルオラン；フェノチアジン類例えば３，７−ビスジメチルアミノ−１０−（４’−アミノベンゾイル）フェノチアジン；インドリルフタリド類例えば３，３−ビス（１−エチル−２−メチルインドール−３−イル）フタリド、３，３−ビス（１−ｎ−ブチル−２−メチルインドール−３−イル）フタリド；ロイコオーラミン類例えばＮ−（２，３−ジクロロフェニル）ロイコオーラミン、Ｎ−フェニルオーラミン；ローダミンラクタム類例えばローダミン−β−ｏ−クロロアミノラクタム；ローダミンラクトン類例えばローダミン−β−ラクトン；インドリン類例えば２−（フェニルイミノエタンジリデン）−３，３’−ジメチルインドリン、ｐ−ニトロベンジルロイコメチレンブルー、ベンゾイルロイコメチレンブルー；トリアリールメタン類例えばビス（４−ジエチルアミノ−２−メチルフェニル）フェニルメタン、トリス（４−ジエチルアミノ−２−メチルフェニル）メタンが挙げられる。それらは、単独で用いられてもよく、複数種混合して用いられてもよい。
【００３３】
前記活性種生成有機化合物は、放射線の照射により不可逆的に活性種が生じるもので、ハロゲン基を有する化合物例えば四臭化炭素、トリブロモエタノール、トリブロモメチルフェニルスルホンが挙げられる。
【００３４】
前記放射線吸収剤は、バリウム、イットリウム、銀、スズ、ハフニウム、タングステン、白金、金、鉛、ビスマス、ジルコニウム、ユウロピウム、セリウムの金属、及びこれら金属を含む化合物例えばそれらの金属の硫酸塩、炭酸塩、硝酸塩が挙げられる。それらは、単独で用いられてもよく、複数種混合して用いられてもよい。
【００３５】
前記放射線励起蛍光剤は、CaWO4、MgWO4、HfP207で示される塩、ZnS:Ag、ZnCdS:Ag、CsI:Na、CsI:Tl、BaSO4:Eu2+、Gd2O2S:Tb3+、La2O2S:Tb3+、Y2O2S:Tb3+、Y2SiO5:Ce、LaOBr:Tm3+、BaFCl:Eu2+、BaFBr:Eu2+で示される焼成物が挙げられる。ZnS:Agの焼成物は、硫化亜鉛を主成分とし、重金属賦活剤である銀を加えて焼成したものである。他の焼成物も同様にして得られる。それらは、単独で用いられてもよく、複数種混合して用いられてもよい。
【００３６】
放射線呈色性組成物は、前記高分子化合物５〜５０重量部と、前記呈色性の電子供与体有機化合物０．０１〜５０重量部と、前記活性種生成有機化合物０．１〜５０重量部と、前記放射線吸収剤／放射線励起蛍光体０．１〜５００重量部とを含んでいる。
【００３７】
放射線呈色性組成物は、前記高分子化合物を溶剤に溶解させて媒体とし、インキや塗料にして用いてもよい。媒体は、高分子化合物５〜５０重量部に対し、溶剤５０〜９５重量部を含むことが好ましい。
【００３８】
溶剤としては、メタノール、エタノール、イソプロパノール、ブチルアルコール、ヘキシルアルコール、酢酸メチル、酢酸エチル、酢酸プロピル、酢酸イソブチル、酢酸ブチル、アセトン、２−ブタノン、シクロヘキサン、イソホロン、メチルエチルケトン、４−メチル−２−ペンタノン、エチルエーテル、イソプロピルエーテル、テトラヒドロフラン、ジオキサン、メチルセロソルブ、エチルセロソルブ、ブチルセロソルブ、２−へキサン、イソオクタン、ソルベントナフサ、メチレンクロライド、プロピレンクロライド、エチレンクロライド、クロロホルム、ジクロルエタン、１，１，２−トリクロルエタン、四塩化炭素、ベンゼン、トルエン、キシレン、クロルベンゼン、Ｎ，Ｎ−ジメチルホルムアミド、Ｎ−メチル−２−ピロリドン、ジメチルスルホキシド、酢酸が挙げられる。その他の溶剤であっても高分子化合物を溶解させるものはすべて使用可能である。それらは、単独で用いられてもよく、複数種混合して用いられてもよい。
【００３９】
放射線呈色性組成物は、消泡剤、界面活性剤、凝固剤のような添加剤を含んでいてもよい。
【００４０】
放射線感応シートは、プラスチック製又は紙製の基材へ放射線呈色性組成物を塗布した厚さが５μｍ〜５ｍｍのラベルであってもよく、放射線呈色性組成物を成形した成型体であってもよく、放射線呈色性組成物をマイクロカプセルや樹脂又はガラス製の蓋付容器や封管に封入して被ばく体に貼付したり載置したりする成型体であってもよい。
【００４１】
中でも、放射線感応シートは、プラスチック製又は紙製の基材でできたラベルであることが好ましい。このようなラベルであると、放射線ビームの透過部位に孔を開け易い。ポラロイドフィルム、蛍光板では、このような使用をすることは、物理的に、又、経済的に、不可能である。
【００４２】
この放射線ビームの位置や照射範囲の確認方法の放射線感応シートの呈色のメカニズムは以下のように推察される。まず放射線感応シートの放射線呈色性組成物中の放射線吸収剤が、放射線感応シートに照射された放射線を吸収・散乱し、光電効果、コンプトン効果、電子を放出した電子対生成の現象を起こす。放射線励起蛍光剤でも同様な現象とともに蛍光リン光発光現象を起こす。これら現象により活性種生成有機化合物から電子受容性を有する活性種が生成され、混在している呈色性の電子供与体有機化合物の電荷移動を誘発する。すると電子供与体化合物は、その電子密度が変化するため呈色し、これにより放射線感応シートが呈色する。
【００４３】
この呈色した放射線感応シートは、瞬時に、不可逆的に呈色し、経時的に退色せず、しかも色相が変化しないため、放射線ビームの位置や照射範囲の確認の際に、誤認を生じず、又確認を示す証拠として、ノートや帳簿類に長期間保存できる。そのメカニズムの詳細は不明だが、高分子化合物の水酸基が放射線照射によって水素イオン等の電子受容体を生じさせ、呈色した電子供与体化合物を安定化させるため、退色しなくなるものと考えられる。特に高分子化合物中の水酸基は、ハロゲン基又はアセタール基が共存することで、水素イオン等の電子受容体をより一層生成させ易くする。
【００４４】
この放射線感応シートは、エネルギー領域１ｋｅＶ〜４００ＭｅＶの広範囲の放射線量を表示でき、従来よりも低線量で明瞭に呈色する。その詳細は不明であるが、高分子化合物が、呈色した電子供与体有機化合物を安定化させ、又、組成物中に比較的多量に含まれているため低線量でも明瞭な呈色を引き起こすためと考えられる。
【００４５】
なお、放射線感応シートが有する放射線呈色性組成物として、高分子化合物と、呈色性の電子供与体有機化合物と、活性種生成有機化合物と、放射線吸収剤や放射線蛍光体剤とを有する例について説明したが、呈色させるために、組成物中に、電子供与体有機化合物や活性種生成有機化合物に代えて、ポリアセチレン化合物やジアリールエテン化合物をその電子供与体有機化合物に相当する量だけ、含んでいてもよい。高分子化合物及び放射線吸収剤や放射線蛍光体剤を含んでいることが好ましいが、含んでいなくてもよい。
【００４６】
ポリアセチレン化合物として、例えば、ジアセチレン化合物、より具体的にはジアセチレン基を有するカルバゾール類が挙げられる。
【００４７】
ジアリールエテン化合物として、アルキル基やアルコキシ基やハロゲン基やアリール基やヘテロアリール基のような置換基で置換されていてもよいアリール基を１、２位に有するジアリールペルフルオロシクロペンテンで例示されるジアリールエテン類；アルキル基やアルコキシ基やハロゲン基やアリール基やヘテロアリール基のような置換基で置換されていてもよいヘテロアリール基を１、２位に有するジヘテロアリールペルフルオロシクロペンテン、より具体的には、１，２−ビス［２−メトキシ−５−フェニル−３−チエニル］ペルフルオロシクロペンテンのようなジヘテロアリールエテン類が挙げられる。
【実施例】
【００４８】
放射線感応シートを試作し、それを用いて、本発明を適用する放射線ビームの位置を２箇所で求めて光軸を確認する方法の実施の例を、以下に示す。
【００４９】
高分子化合物である塩化ビニル・酢酸ビニル・ビニルアルコールの共重合体を、溶媒であるトルエン／エタノール（１：１）に溶解させて、２５％溶液の媒体を調製した。その媒体１００重量部に、呈色性の電子供与体としてフルオラン類である２−（２−クロロアニリノ）−６−ジブチルアミノフルオランの１０重量部、活性種生成有機化合物としてトリブロモエタノールの１０重量部、放射線吸収剤として臭化セシウムの２０重量部を混合して、放射線呈色性組成物をインクとして得た。
【００５０】
図１に示すように、うら面に粘着剤層１５と剥離シート１６とが付されたポリエチレンフィルム製基材１４に、得られた組成物を層状に塗布し、乾燥させ呈色層１３とした。水分等の影響を回避するため、粘着剤層１２を介して透明なプラスチックフィルム１１でこの呈色層１３を被い、６ｃｍ四方に切断し、対のＸ線感応シート１０を作製した。
【００５１】
図２に示す通り、ビームダクト（Ｉ）と実験ハッチ（II）とを仕切るスリット４の開口部を塞ぐように、一枚のＸ線感応シート１０ａを、貼付した。そこから離れた位置で実験ハッチ（II）内に櫓（不図示）を組み、そこに別な一枚のＸ線感応シート１０ｂを設置した。
【００５２】
エネルギー３０ｋｅＶのＸ線を２分間照射すると、Ｘ線感応シート１０ａ・１０ｂが、Ｘ線ビームの透過部位１７ａ・１７ｂで四角く、黄色から赤色に、呈色した。
【００５３】
図３に示す通り、透過部位１７ａ・１７ｂの夫々の四隅から対角線を引き、その交点に孔１８ａ・１８ｂを開けた。開けた両孔１８ａ・１８ｂに、６３０ｎｍのレーザービームを照射することによって、第二結晶板３からのＸ線ビームラインに相当する光軸を、目視で確認することができた。
【００５４】
確認できた第二結晶板３からのビームライン光軸上に、第三結晶板５を設置し、その入射角度θを調整した。
【００５５】
図４に示すとおり、第三結晶板５で反射するＸ線ビームライン１の推定延長線上に、Ｘ線感応シート１０ｃ・１０ｄを設置し、同様に、Ｘ線ビームライン光軸を調整した。
その後、図５に示す通り、所望の適切な位置に試料６を設置し、放射線化学分析を行うことができた。
【産業上の利用可能性】
【００５６】
本発明の放射線感応シートを用いた放射線ビーム確認方法は、Ｘ線診断、放射線治療、γ線・電子線滅菌等の線量バリデーションデータ取得の際の放射線二次元検出、さらに放射線化学分析による構造解析の際の最適測定条件の設定に、有用である。
【図面の簡単な説明】
【００５７】
【図１】本発明を適用する放射線ビーム確認方法に用いられる放射線感応シートの断面図である。
【００５８】
【図２】本発明を適用する放射線ビーム確認方法によって、放射線感応シートの呈色で放射線ビームの透過部位を表示している実施途中を示す概要図である。
【００５９】
【図３】本発明を適用する放射線ビーム確認方法によって、レーザービームで放射線ビームラインを表示している実施途中を示す概要図である。
【００６０】
【図４】本発明を適用する放射線ビーム確認方法によって、放射線感応シートの呈色で放射線ビームの透過部位を表示している別な実施途中を示す概要図である。
【００６１】
【図５】本発明を適用する放射線ビーム確認方法によって、確認すべき放射線ビームラインを示す概要図である。
【００６２】
【図６】本発明を適用外の放射線ビーム確認方法の実施途中を示す概要図である。
【００６３】
【図７】本発明を適用外の別な放射線ビーム確認方法の実施途中を示す概要図である。
【符号の説明】
【００６４】
１は放射線ビームライン、２は第一結晶板、３は第二結晶板、４はスリット、５は第三結晶板、６は試料、１０・１０ａ・１０ｂ・１０ｃ・１０ｄは放射線感応シート、１１は透明被覆シール、１２は粘着剤層、１３は呈色層、１４は基材、１５は粘着剤層、１６は剥離シート、１７ａ・１７ｂは透過部位、１８ａ・１８ｂは孔、１９はレーザービーム、２１ａ・２１ｂはリナグラフ、２２ａ・２２ｂは蛍光板、２３ａ・２３ｂはＣＣＤカメラ、（Ｉ）はビームダクト、（II）は実験ハッチである。
【図１】
2008102055.tif 000005
【図２】
2008102055.tif 000006
【図３】
2008102055.tif 000007
【図４】
2008102055.tif 000008
【図５】
2008102055.tif 000009
【図６】
2008102055.tif 000010
【図７】
2008102055.tif 000011